(57)【要約】【課題】ケーブルを被試験装置にセッティングし直す手間を省く。【解決手段】被試験装置にノイズ信号を印加することで前記被試験装置の電磁両立性を試験するノイズ試験装置であって、前記被試験装置に接続されるケーブルの電気特性を模擬する模擬部を備え、前記模擬部は、模擬している前記ケーブルの電気特性を変更可能である。【選択図】図１
2019164100.tif 000002
【特許請求の範囲】
【請求項１】
被試験装置にノイズ信号を印加することで前記被試験装置の電磁両立性を試験するノイズ試験装置であって、
前記被試験装置に接続されるケーブルの電気特性を模擬する模擬部を備え、
前記模擬部は、模擬している前記ケーブルの電気特性を変更可能であることを特徴とするノイズ試験装置。
【請求項２】
前記模擬部は、使用者による操作に基づいて、模擬している電気特性を変更することを特徴とする請求項１に記載のノイズ試験装置。
【請求項３】
前記模擬部は、模擬している電気特性を所定の範囲内で掃引することを特徴とする請求項１又は２に記載のノイズ試験装置。
【請求項４】
前記模擬部は、
前記ケーブルの導体部分の電気特性を模擬する第１の模擬部と、
前記ケーブルの静電容量を模擬する第２の模擬部と、
を備えることを特徴とする請求項１から３のいずれか一項に記載のノイズ試験装置。
【請求項５】
前記第１の模擬部は、第１の端子と第２の端子との間に直列に接続された抵抗器及びインダクタを備え、前記抵抗器の抵抗値及び前記インダクタのインダクタンス値の少なくともいずれかを変更することで模擬している前記電気特性を変更し、
前記第２の模擬部は、前記第１の端子及び前記第２の端子の間と、第３の端子との間に接続されたコンデンサを備え、前記コンデンサの静電容量を変更することで模擬している前記静電容量を変更することを特徴とする請求項４に記載のノイズ試験装置。
【発明の詳細な説明】
【技術分野】
【０００１】
本発明は、ノイズ試験装置に関する。
【背景技術】
【０００２】
下記特許文献１には、電子機器の耐ノイズ試験が開示されている。
具体的には、上記耐ノイズ試験は、ノイズ試験装置で生成したノイズを、電子機器（被試験装置）に接続されているケーブル（電源ケーブルや信号ケーブル）に注入して、当該ノイズに対する耐性を評価する、所謂ＥＭＣ（電磁両立性）試験の一種である。
【先行技術文献】
【特許文献】
【０００３】
【特許文献１】特開２００８−１７５５９８号公報
【発明の概要】
【発明が解決しようとする課題】
【０００４】
ところで、被試験装置に接続されているケーブルは、当該被試験装置と、他の電子機器やＧＮＤ（グランド）と、を電気的に接続する導体であるため、ノイズの伝導経路の一つとなる。そのため、ケーブルの電気特性は、ＥＭＣ試験の評価結果に影響をもたらすことがある。
【０００５】
ただし、ＥＭＣ試験において、被試験装置に接続されているケーブルは、あくまでも試験用として準備されているものが多く、被試験装置が現場で実際に使用されるときのケーブルとは電気特性が異なる場合がある。そのため、ＥＭＣ試験において、現場で実際に使用されるケーブルの影響を評価するためには、実際に使用され得るすべてのケーブルを準備し、それらのケーブルごとにＥＭＣ試験を行う必要がある。したがって、ケーブルごとに当該ケーブルを被試験装置にセッティングし直すことが必要であり、煩雑である。
【０００６】
本発明は、このような事情に鑑みてなされたもので、その目的は、ケーブルを被試験装置にセッティングし直す手間を省くことである。
【課題を解決するための手段】
【０００７】
本発明の一態様は、被試験装置にノイズ信号を印加することで前記被試験装置の電磁両立性を試験するノイズ試験装置であって、前記被試験装置に接続されるケーブルの電気特性を模擬する模擬部を備え、前記模擬部は、模擬している前記ケーブルの電気特性を変更可能であることを特徴とするノイズ試験装置である。
【０００８】
本発明の一態様は、上述のノイズ試験装置であって、前記模擬部は、使用者による操作に基づいて、模擬している電気特性を変更する。
【０００９】
本発明の一態様は、上述のノイズ試験装置であって、前記模擬部は、模擬している電気特性を所定の範囲内で掃引する。
【００１０】
本発明の一態様は、上述のノイズ試験装置であって、前記模擬部は、前記ケーブルの導体部分の電気特性を模擬する第１の模擬部と、前記ケーブルの静電容量を模擬する第２の模擬部と、を備える。
【００１１】
本発明の一態様は、上述のノイズ試験装置であって、前記第１の模擬部は、第１の端子と第２の端子との間に直列に接続された抵抗器及びインダクタを備え、前記抵抗器の抵抗値及び前記インダクタのインダクタンス値の少なくともいずれかを変更することで模擬している前記電気特性を変更し、前記第２の模擬部は、前記第１の端子及び前記第２の端子の間と、第３の端子との間に接続されたコンデンサを備え、前記コンデンサの静電容量を変更することで模擬している前記静電容量を変更する。
【発明の効果】
【００１２】
以上説明したように、本発明によれば、ケーブルを被試験装置にセッティングし直す手間を省くことができる。
【図面の簡単な説明】
【００１３】
【図１】本発明の一実施形態に係るノイズ試験装置Ａの概略構成の一例を示す図である。
【図２】本発明の一実施形態に係るケーブル模擬装置２の概略構成の一例を示す図である。
【図３】本発明の一実施形態に係る第２の試験方法を説明する図である。
【図４】本発明の一実施形態に係る第３の試験方法の流れを説明する図である。
【図５】本発明の一実施形態に係るノイズ試験装置Ａの変形例を示す図である。
【図６】本発明の一実施形態に係るケーブル模擬装置２の変形例を示す図である。
【発明を実施するための形態】
【００１４】
以下、本発明の一実施形態に係るノイズ試験装置を、図面を用いて説明する。
【００１５】
図１は、本発明の一実施形態に係るノイズ試験装置Ａの概略構成の一例を示す図である。本実施形態に係るノイズ試験装置Ａは、ＥＭＣ（電磁両立性）試験装置の一種であるラインノイズ試験装置である。このノイズ試験装置Ａは、電源ラインを介して被試験装置Ｅに侵入するインパルスノイズに対する耐性を評価するために、上記電源ラインにノイズ信号が付加された交流電源を試験用電源として被試験装置Ｅに供給する。ただし、本発明のノイズ試験装置Ａは、ラインノイズ試験装置に限定されず、ＥＭＣ試験装置であれば、特に限定されない。
【００１６】
以下に、本実施形態に係るノイズ試験装置Ａの構成について、具体的に説明する。
図１に示すように、ノイズ試験装置Ａは、試験装置本体１及びケーブル模擬装置２を備える。
【００１７】
試験装置本体１は、ＬＣフィルタ１１、ノイズ試験器１２、接続線１３、第１カップリングコンデンサ１４、第２カップリングコンデンサ１５を備えている。
【００１８】
ＬＣフィルタ１１は、一方の入力端子（２つの端子ａ、ｂ）と他方の出力端子（２つの端子ｃ、ｄ）を備える４端子回路である。ＬＣフィルタ１１は、一方の入力端子と一方の出力端子との間にコイル１１ａが設けられ、一方の入力端子と他方の出力端子との間にコンデンサ１１ｂが設けられている。このＬＣフィルタ１１は、交流電源を通過させると共に、ノイズ試験器１２から出力されるノイズ信号が交流電源（商用電源）に流れ込むことを防止するＬＣローパスフィルタである。
【００１９】
ノイズ試験器１２は、パルス状のノイズ信号を生成するノイズ発生回路であり、一対の出力端子を備えている。このノイズ試験器１２の出力端子は、接続線１３に接続されている。そして、この出力端子から接続線１３に向けて上記ノイズ信号が出力される。
【００２０】
接続線１３は、ノイズ試験器１２の出力端子と、第１カップリングコンデンサ１４及び第２カップリングコンデンサ１５とのそれぞれを電気的に接続する信号線であり、例えば同軸ケーブルである。
【００２１】
第１カップリングコンデンサ１４は、ＬＣフィルタ１１の出力端子ｃとノイズ試験器１２の一方の出力端子との間に設けられている。すなわち、第１カップリングコンデンサ１４は、一端がＬＣフィルタ１１の出力端子ｃに接続され、他端が接続線１３を介してノイズ試験器１２の一方の出力端子に接続されている。
【００２２】
第２カップリングコンデンサ１５は、ＬＣフィルタ１１の出力端子ｄとノイズ試験器１２の他方の出力端子との間に設けられている。すなわち、第２カップリングコンデンサ１５は、一端がＬＣフィルタ１１の出力端子ｄに接続され、他端が接続線１３を介してノイズ試験器１２の他方の出力端子に接続されている。このような第１、第２カップリングコンデンサ１４、１５は、ノイズ試験器１２をＬＣフィルタ１１に交流的に、つまり直流結合を廃した状態で結合させる。
【００２３】
ケーブル模擬装置２は、被試験装置Ｅに接続されるケーブルの電気特性を模擬可能な構成を備える。ここで、本実施形態では、被試験装置Ｅに接続されるケーブルとしてＧＮＤケーブルである場合について説明する。すなわち、本実施形態では、ケーブル模擬装置２は、被試験装置Ｅに接続されるＧＮＤケーブルの電気特性を模擬する場合について、説明する。ただし、本発明はこれに限定されず、被試験装置Ｅに接続されるケーブルとして電源ケーブルや信号ケーブルであってもよい。なお、ケーブルの電気特性とは、例えば、ケーブルの抵抗値や、インダクタ値、静電容量等である。
【００２４】
以下に、本発明の一実施形態に係るケーブル模擬装置２の構成について、図２を用いて説明する。
【００２５】
図２に示すように、ケーブル模擬装置２は、第１の模擬部２１及び第２の模擬部２２を備える。なお、第１の模擬部２１及び第２の模擬部２２は、本発明の「模擬部」の一例である。
【００２６】
第１の模擬部２１は、ケーブル模擬装置２の第１の端子ｅと第２の端子ｆとの間に接続されている。この第１の模擬部２１は、ＧＮＤケーブルの導体部分の電気特性を模擬するものである。この電気特性とは、例えば、抵抗値及びインダクタンス値である。
具体的には、第１の模擬部２１は、互いに直列に接続された抵抗部２１０及びインダクタ部２１１を備える。
【００２７】
抵抗部２１０は、複数の抵抗器Ｒ１，Ｒ２，…，Ｒｎと、第１の変更部２１２を備える。ここで、ｎは、２以上の整数である。
抵抗器Ｒ１，Ｒ２，…，Ｒｎは、第１の端子ｅと第２の端子ｆとの間に互いに直列に接続されている。なお、抵抗器Ｒ１，Ｒ２，…，Ｒｎは、それぞれ同一の抵抗値であってもよい、異なる抵抗値であってもよいし、それらの組み合わせであってもよい。
【００２８】
第１の変更部２１２は、抵抗部２１０が模擬しているＧＮＤケーブルの電気特性である抵抗値を変更可能である。例えば、第１の変更部２１２は、複数のスイッチＳＷＲ（ＳＷＲ１，ＳＷＲ２，…，ＳＷＲｎ）を備える。このスイッチＳＷＲは、抵抗器Ｒ１，Ｒ２，…，Ｒｎのそれぞれに並列に接続されている。
【００２９】
各スイッチＳＷＲは、制御部２３から第１の制御信号に基づいて、オン状態又はオフ状態に制御されることで、抵抗部２１０の抵抗値を変更する。例えば、第１の変更部２１２は、複数の抵抗器Ｒ１，Ｒ２，…，Ｒｎのうち、スイッチＳＷＲをオン状態にして両端を短絡させる抵抗器の数を調整することによって、抵抗部２１０全体としての抵抗値を調整する。なお、スイッチＳＷＲは、リレー等の機械スイッチであってもよいし、トランジスタ等の電気的スイッチであってもよい。
【００３０】
インダクタ部２１１は、複数のインダクタＬ１，Ｌ２，…，Ｌｍと、第２の変更部２１３を備える。ここで、ｍは、２以上の整数であって、ｎと同一であってもよいし、異なっていてもよい。このインダクタＬ１，Ｌ２，…，Ｌｍは、第１の端子ｅと第２の端子ｆとの間に互いに直列に接続されている。なお、インダクタＬ１，Ｌ２，…，Ｌｍは、それぞれ同一のインダクタンス値であってもよい、異なるインダクタンス値であってもよいし、それらの組み合わせであってもよい。
【００３１】
第２の変更部２１３は、インダクタ部２１１が模擬しているＧＮＤケーブルの電気特性であるインダクタンス値を変更可能である。例えば、第２の変更部２１３は、複数のスイッチＳＷＬ（ＳＷＬ１，ＳＷＬ２，…，ＳＷＬｍ）を備える。スイッチＳＷＬは、インダクタＬ１，Ｌ２，…，Ｌｍのそれぞれに並列に接続されている。
【００３２】
各スイッチＳＷＬは、制御部２３から第２の制御信号に基づいて、オン状態又はオフ状態に制御されることで、インダクタ部２１１のインダクタンス値を変更する。例えば、第２の変更部２１３は、複数のインダクタＬ１，Ｌ２，…，Ｌｍのうち、スイッチＳＷＬをオン状態にして両端を短絡させるインダクタの数を調整することによって、インダクタ部２１１全体としてのインダクタンス値を調整する。なお、スイッチＳＷＬは、リレー等の機械スイッチであってもよいし、トランジスタ等の電気的スイッチであってもよい。
【００３３】
第２の模擬部２２は、第１の端子ｅ及び第２の端子ｆの間と、第３の端子ｇとの間に接続されている。第３の端子ｇは、筐体又はＧＮＤに接続する端子である。この第２の模擬部２２は、ＧＮＤケーブルの静電容量を模擬するものである。このＧＮＤケーブルの静電容量とは、例えば、ＧＮＤケーブルの導体部分と、筐体又はＧＮＤとの間の静電容量であって、その間にはＧＮＤケーブルの導体部分を被覆する被覆部を有する。なお、この被覆部とは、ＧＮＤケーブルのシースを含む。
【００３４】
具体的には、第２の模擬部２２は、互いに並列に接続された複数のコンデンサＣ１，Ｃ２，…，Ｃｋと、第３の変更部２２０を備える。ここで、複数のコンデンサＣ１，Ｃ２，…，Ｃｋは、一のコンデンサとみなすことができる。なお、ｋは２以上の整数であって、ｎ及びｍと同一であってもよいし、異なっていてもよい。
【００３５】
第３の変更部２２０は、第２の模擬部２２が模擬しているＧＮＤケーブルの電気特性である静電容量を変更可能である。例えば、第３の変更部２２０は、複数のスイッチＳＷＣ（ＳＷＣ１，ＳＷＣ２，…，ＳＷＣｋ）を備える。スイッチＳＷＣは、コンデンサＣ１，Ｃ２，…，Ｃｋのそれぞれに直列に接続されている。
【００３６】
各スイッチＳＷＣは、制御部２３からの第３の制御信号に基づいて、オン状態又はオフ状態に制御されることで、第２の模擬部２２の静電容量を変更する。例えば、第３の変更部２２０は、複数のコンデンサＣ１，Ｃ２，…，Ｃｋのうち、スイッチＳＷＣをオフ状態にして一端を開放端とするコンデンサの数を調整することによって、第２の模擬部２２全体としての静電容量値を調整する。なお、スイッチＳＷＣは、リレー等の機械スイッチであってもよいし、トランジスタ等の電気的スイッチであってもよい。
【００３７】
制御部２３は、模擬部（第１の模擬部２１及び第２の模擬部２２）が模擬している電気特性を制御する。例えば、制御部２３は、使用者からの操作により入力された指令信号に応じて第１の制御信号を第１の変更部２１２に出力する。また、制御部２３は、上記指令信号に応じた第２の制御信号を第２の変更部２１３に出力する。これにより、制御部２３は、第１の模擬部２１が模擬している電気特性を変更させることができる。また、制御部２３は、上記指令信号に応じた第３の制御信号を第３の変更部２２０に出力する。これにより、制御部２３は、第２の模擬部２２が模擬している電気特性を変更させることができる。
【００３８】
ここで、使用者からの操作とは、ケーブル模擬装置２において模擬させる電気特性を入力する操作である。例えば、ケーブル模擬装置２は、使用者が操作可能な操作部を備える。そして、操作部は、使用者により操作されることで、ケーブル模擬装置２において模擬させる電気特性を取得し、その電気的特性を指令信号として制御部２３に出力する。
【００３９】
さらに、制御部２３は、所定の範囲内において、第１の模擬部２１及び第２の模擬部２２が模擬している電気特性を予め定められた変化率で掃引させる掃引処理を所定の時間ごとに実行させることが可能である。なお、制御部２３は、上記変化率を任意の値に設定可能である。
【００４０】
例えば、制御部２３は、抵抗部２１０の抵抗値を予め定められた変化率で掃引させる場合には、ＳＷＲ１，ＳＷＲ２，…，ＳＷＲｎを順次オン状態、又はオフ状態に制御することで掃引処理を実行させる。
【００４１】
例えば、制御部２３は、インダクタ部２１１のインダクタタンス値を予め定められた変化率で掃引させる場合には、ＳＷＬ１，ＳＷＬ２，…，ＳＷＬｍを順次オン状態、又はオフ状態に制御することで掃引処理を実行させる。
【００４２】
例えば、制御部２３は、第２の模擬部２２の静電容量を予め定められた変化率で掃引させる場合には、ＳＷＣ１，ＳＷＲＣ，…，ＳＷＣｋを順次オン状態、又はオフ状態に制御することで掃引処理を実行させる。
【００４３】
続いて、このように構成されたノイズ試験装置Ａを用いたＥＭＣ試験の試験方法について説明する。
まず、ケーブル模擬装置２が模擬するＧＮＤケーブルの電気特性が固定値である場合におけるＥＭＣ試験の試験方法（以下、「第１の試験方法」という。）について、説明する。
【００４４】
（第１の試験方法）
まず、作業者は、ＥＭＣ試験の開始前に、ケーブル模擬装置２で模擬させるＧＮＤケーブルの電気特性を決定する。例えば、作業者は、ケーブル模擬装置２で模擬させるＧＮＤケーブルの仕様書から、当該ＧＮＤケーブルの電気特性を決定する。そして、作業者は、決定したＧＮＤケーブルの電気特性を、ケーブル模擬装置２で模擬させる電気特性（以下、「模擬電気特性」という。）としてケーブル模擬装置２に入力する。
【００４５】
制御部２３は、模擬電気特性を取得すると、その模擬電気特性に応じた制御信号（第１の制御信号〜第３の制御信号）を、第１の変更部２１２，第２の変更部２１３及び第３の変更部２２０のそれぞれに出力する。これにより、各ＳＷＲ１，ＳＷＲ２，…，ＳＷＲｎは、オン状態又はオフ状態に切り替えられる。また、各ＳＷＬ１，ＳＷＬ２，…，ＳＷＬｎは、オン状態又はオフ状態に切り替えられる。さらに、各ＳＷＣ１，ＳＷＣ２，…，ＳＷＣｎは、オン状態又はオフ状態に切り替えられる。したがって、ケーブル模擬装置２は、模擬対象のＧＮＤケーブルの等価回路を形成することができる。すなわち、ケーブル模擬装置２は、模擬対象のＧＮＤケーブルの電気特性を模擬することができる。
【００４６】
ケーブル模擬装置２がＧＮＤケーブルの等価回路を形成すると、作業者は、ＥＭＣ試験を開始するために、作動スイッチ（図示略）を押下する。これにより、試験装置本体１は、外部から供給される交流電源（商用電源）に対して、ノイズ試験器１２で生成したノイズ信号が重畳させ、試験用電源として被試験装置Ｅに出力することで、ＥＭＣ試験が開始される。
【００４７】
このように、作業者は、ＥＭＣ試験を開始する前に、ケーブル模擬装置２に模擬電気特性を入力することで、ケーブル模擬装置２に所望のケーブルの電気特性を模擬させることができる。したがって、電気特性が異なるケーブルを被試験装置にセッティングし直す手間を省くことができる。また、ＥＭＣ試験を行うために、電気特性の異なるケーブルを購入する必要がなくなり、コストを削減することができる。
【００４８】
次に、ＥＭＣ試験中において、ケーブル模擬装置２が模擬するＧＮＤケーブルの電気特性をステップ状に変化（掃引）させる試験方法（以下、「第２の試験方法」という。）について、図３を用いて説明する。なお、以下の説明においては、ＥＭＣ試験がＲＦ伝導妨害イミュニティ試験である場合について説明する。また、ケーブル模擬装置２の制御部２３とノイズ試験器１２とは有線又は無線で接続されている。
【００４９】
（第２の試験方法）
まず、作業者は、ＥＭＣ試験の開始前に、ケーブル模擬装置２においてステップ状に変化させるパラメータである電気特性、その変化させる変化率、及びパラメータ持続時間ｔを、上記操作部を介してケーブル模擬装置２に入力する。このパラメータ持続時間ｔとは、上記電気特性を一の値に持続させる時間である。例えば、図３に示すように、抵抗部２１０の抵抗値を上記パラメータとし、当該抵抗値をステップ状に４ステップで変化させるとする。この場合には、パラメータ時間ｔとは、各ステップで抵抗値を持続する時間となる。
【００５０】
作業者は、パラメータ、変化率、及びパラメータ持続時間ｔをケーブル模擬装置２に入力した後、ノイズ試験器１２の設定を行う。具体的には、作業者は、ＲＦ伝導妨害イミュニティ試験を行うために、妨害波（ノイズ信号）の印加時間と、その妨害波の測定周波数範囲を設定する。その後、作業者は、ＲＦ伝導妨害イミュニティ試験を開始するために、作動スイッチ（図示略）を押下する。作動スイッチが押下させると、当該作動スイッチが押下された旨がノイズ試験器１２と制御部２３とのそれぞれに通知される。したがって、試験装置本体１は、外部から供給される交流電源（商用電源）に対して、ノイズ試験器１２で生成したノイズ信号を重畳し、妨害波として被試験装置Ｅに出力する。これにより、ＲＦ伝導妨害イミュニティ試験が開始される。
【００５１】
ＲＦ伝導妨害イミュニティ試験が開始されると、ケーブル模擬装置２は、抵抗値Ｘ１に模擬していた抵抗部２１０の抵抗値を、パラメータ持続時間ｔが経過するごとに、抵抗値Ｘ２、抵抗値Ｘ３、抵抗値Ｘ４の順に変更する。そして、抵抗値Ｘ１〜Ｘ４の４ステップで抵抗値の変更が終了すると、妨害波の周波数が次の周波数に変更され、同様に抵抗値Ｘ１〜Ｘ４の４ステップで抵抗部２１０の抵抗値が変更される。
【００５２】
このように、ケーブル模擬装置２は、模擬しているＧＮＤケーブルの電気特性（パラメータ）を変更（掃引）しながらＥＭＣ試験することで、被試験装置Ｅに悪影響を与えるケーブルの電気特性の値を把握することができる。
【００５３】
さらに、ＥＭＣ試験において、ケーブル模擬装置２のパラメータを掃引させる第１のタイミングと試験装置本体１が妨害波の周波数を掃引する第２のタイミングとを同期させてもよい。以下に、第１のタイミングと第２のタイミングとを同期させる試験方法（以下、「第３の試験方法」という。）について、図４を用いて説明する。なお、制御部２３とノイズ試験器１２とは有線又は無線で接続されている。
【００５４】
（第３の試験方法）
まず、作業者は、ＥＭＣ試験の開始前に、ケーブル模擬装置２においてステップ状に変化（掃引）させるパラメータである電気特性、その変化させる変化率、及びパラメータ持続時間ｔを、上記操作部を介してケーブル模擬装置２に入力する。（ステップＳ１０１）。
【００５５】
次に、作業者は、ＲＦ伝導妨害イミュニティ試験を開始するために、作動スイッチ（図示略）を押下する。ノイズ試験器１２は、作動スイッチが押下されると（ステップＳ１０２）、外部から供給される交流電源（商用電源）に対して、ノイズ試験器１２で生成したノイズ信号を重畳させ、妨害波として被試験装置Ｅに出力することでＲＦ伝導妨害イミュニティ試験を開始する（ステップＳ１０３）。一方、ケーブル模擬装置２は、作動スイッチが押下されると、パラメータの掃引処理を開始する。
【００５６】
ノイズ試験器１２は、ケーブル模擬装置２のパラメータが変化したか否かを判定する（ステップＳ１０４）。ここで、ケーブル模擬装置２は、掃引処理において、パラメータを変化させた場合には、ノイズ試験器１２に有線又は無線で通知する。そのため、ノイズ試験器１２は、ケーブル模擬装置２から上記通知があった場合には、パラメータが変化したと判定して、妨害波の周波数を変更する（ステップＳ１０５）。
【００５７】
ノイズ試験器１２は、ステップＳ１０５で変更した妨害波の周波数が、ＲＦ伝導妨害イミュニティ試験の測定周波数範囲を超えた否かを判定する（ステップＳ１０６）。そして、ノイズ試験器１２は、妨害波の周波数が、上記測定周波数範囲を超えたと判定した場合には、ＲＦ伝導妨害イミュニティ試験を終了する。一方、ノイズ試験器１２は、妨害波の周波数が、測定周波数範囲内であると判定した場合には、ステップＳ１０４に移行する。
【００５８】
以上、この発明の実施形態について図面を参照して詳述してきたが、具体的な構成はこの実施形態に限られるものではなく、この発明の要旨を逸脱しない範囲の設計等も含まれる。
【００５９】
（変形例１）
上記実施形態では、ケーブル模擬装置２がＧＮＤケーブルの電気特性を模擬する場合について説明したが、本発明はこれに限定されない。例えば、ケーブル模擬装置２が模擬するケーブルは、被試験装置Ｅに接続されるケーブルであれば、特定に限定されず、例えば、信号ケーブルでもよいし、電源ケーブルであってもよい。例えば、図５に示すようにケーブル模擬装置２を電源ラインに配置することで、ケーブル模擬装置２は、被試験装置Ｅに接続される電源ケーブルの電気特性を模擬することができる。なお、ケーブル模擬装置２は、試験装置本体１と一体に構成されてもよいし、別体に構成されてもよい。
【００６０】
（変形例２）
上記実施形態では、図２に示すように、ケーブル模擬装置２の構成の一例として、単芯線のケーブルの電気特性を模擬する構成を説明したが、本発明はこれに限定されない。例えば、ケーブル模擬装置２は、図６に示すような構成とすることで、シールド線のケーブルの電気特性を模擬することが可能である。
【００６１】
例えば、図６に示すケーブル模擬装置２Ｂは、第１の模擬部２１、第２の模擬部２２Ｂ及び接続線Ｓを備える。なお、第１の模擬部２１及び第２の模擬部２２Ｂは、本発明の「模擬部」の一例である。
【００６２】
第２の模擬部２２Ｂは、第３の模擬部２２１及び第４の模擬部２２２を備える。
第３の模擬部２２１は、第１の端子ｅ及び第２の端子ｆの間と、接続線Ｓとの間に接続されている。この接続線Ｓは、シールド部を模擬するものである。接続線Ｓは、一端が第４の端子ｅ´に接続され、他端が第５の端子ｆ´に接続されている。この第４の端子ｅ´は、シールド部の入力端を示すものであり、外部と電気的に接続可能な出力端子として機能する。第５の端子ｆ´は、シールド部の出力端を示すものであって、実際の電気的な接続端子（電子部品等）を示すものでなくてもよい。
【００６３】
この第３の模擬部２２１は、ケーブルにおける芯線とシールド部との間の絶縁体部分の電気特性である静電容量を模擬するものである。具体的には、第３の模擬部２２１は、互いに並列に接続された複数のコンデンサＣ１，Ｃ２，…，Ｃｐと、変更部２２３を備える。なお、ｐは２以上の整数であって、ｎ、ｍ及びｋと同一であってもよいし、異なっていてもよい。
【００６４】
変更部２２３は、第３の模擬部２２１が模擬している電気特性である静電容量を変更可能である。例えば、変更部２２３は、複数のスイッチＳＷＣｘ（ＳＷＣｘ１，ＳＷＣｘ２，…，ＳＷＣｘｐ）を備え、コンデンサＣ１，Ｃ２，…，Ｃｐのそれぞれに直列に接続されている。本変形例では、各コンデンサＣ１，Ｃ２，…，Ｃｐの一端が第２の端子ｆに接続されている。また、各スイッチＳＷＣｘは、一端が各コンデンサＣ１，Ｃ２，…，Ｃｐの他端に接続され、他端が接続線Ｓに接続されている。
各スイッチＳＷＣｘは、制御部２３からの第４の制御信号により、オン状態又はオフ状態に制御されることで、変更部２２３の静電容量を変更する。なお、スイッチＳＷＣは、リレー等の機械スイッチであってもよいし、トランジスタ等の電気的スイッチであってもよい。
【００６５】
第４の模擬部２２２は、接続線Ｓと第３の端子ｇとの間に接続されている。この第４の模擬部２２２は、シース部分の電気的特性である静電容量を模擬するものである。なお、第４の模擬部２２２の具体的な構成は、第２の模擬部２２と同様であるため、詳細は省略する。
【００６６】
（変形例３）
上記実施形態では、抵抗部２１０が複数の抵抗器Ｒ（Ｒ１，Ｒ２，…，Ｒｎ）を備える場合について説明したが、本発明はこれに限定されない。例えば、抵抗部２１０は、可変抵抗であってもよい。さらにインダクタ部２１１が複数のインダクタＬ（Ｌ１，Ｌ２，…，Ｌｍ）を備える場合について説明したが、本発明はこれに限定されない。例えば、インダクタ部２１１は、可変リアクトルであってもよい。これにより、ケーブル模擬装置２は、スイッチＳＷＲ，ＳＷＬを削減し、抵抗部２１０の抵抗値やインダクタ部２１１のインダクタンス値をステップ状ではなく、連続的に変化させることができる。
【００６７】
（変形例４）
上記実施形態では、ノイズ試験器１２は、第３の試験方法において、ケーブル模擬装置２のパラメータが変化したタイミングで妨害波の周波数を変化させたが、本発明はこれに限定されない。例えば、ノイズ試験器１２は、ケーブル模擬装置２に入力されたパラメータの数に応じて妨害波の印加時間（以下、「妨害波印加時間」という。）を設定する。そして、ノイズ試験器１２は、ＥＭＣ試験が開始している場合において、妨害波を被試験装置Ｅに印加してから上記妨害波印加時間を経過した場合には妨害波の周波数を変更して、当該妨害波を再度被試験装置Ｅに印加する。ノイズ試験器１２は、これらの処理を妨害波の周波数が測定周波数範囲を超えるまで繰り返す。
【００６８】
（変形例５）
上記実施形態では、使用者が操作部を操作することにより、ケーブル模擬装置２に模擬させたい電気特性（模擬電気特性）を入力したが、本発明はこれに限定されない。例えば、作業者は、ケーブル模擬装置２の制御部２３と有線又は無線で通信可能な通信装置を用意し、その通信装置から、模擬電気特性をケーブル模擬装置２に送信することで、当該ケーブル模擬装置２に模擬電気特性を入力する。
【００６９】
以上、説明したように、本実施形態に係るノイズ試験装置Ａは、被試験装置にノイズ信号を印加することで被試験装置ＥのＥＭＣ試験するための試験装置である。そして、ノイズ試験装置Ａは、被試験装置Ｅに接続されるケーブルの電気特性を模擬する模擬部と、その模擬部が模擬しているケーブルの電気特性を変更可能な変更部と、を備える。
【００７０】
このような構成によれば、ケーブル模擬装置２に所望のケーブルの電気特性を模擬させることができる。したがって、電気特性の異なるケーブルを被試験装置にセッティングし直す手間を省くことができる。
【００７１】
また、電気特性の異なるケーブルを購入する必要がなくなり、コストを削減することができる。さらに、ケーブル模擬装置２が模擬している電気特性を可変させながらＥＭＣ試験することで、被試験装置Ｅに悪影響を与えるケーブルの電気的特性を把握することができる。
【符号の説明】
【００７２】
Ａ  ノイズ試験装置
１  試験装置本体
２  ケーブル模擬装置
１１  ＬＣフィルタ
１２  ノイズ試験器
１３  接続線
１４  第１カップリングコンデンサ
１５  第２カップリングコンデンサ
２１  第１の模擬部
２２  第２の模擬部
２３  制御部
【図１】
2019164100.tif 000003
【図２】
2019164100.tif 000004
【図３】
2019164100.tif 000005
【図４】
2019164100.tif 000006
【図５】
2019164100.tif 000007
【図６】
2019164100.tif 000008